(57)【特許請求の範囲】
【請求項１】
アンテナ間隔が変更可能な複数のアンテナと、
複数の前記アンテナ間の相関値に基づき、複数の前記アンテナから選択されたアンテナを用いてパイロット信号を送信する送信部と、
前記相関値に基づき、複数の前記アンテナのうち前記パイロット信号を送信するアンテナを選択し、該アンテナ選択の情報を生成し、前記パイロット信号を送信するアンテナの情報に基づいて、前記パイロット信号を送信しないアンテナの補間計算に用いる情報を前記アンテナ選択の情報に含めて生成する決定部と、を備え、
前記送信部は、前記決定部により生成された前記アンテナ選択の情報を受信装置に送信することを特徴とする送信装置。
【請求項２】
複数の前記アンテナ間の相関値を測定する相関値測定部と、
複数の前記アンテナの間隔を検出する検出部と、を備え、
前記相関値測定部は、前記検出部で検出されたアンテナの間隔に基づいて前記相関値を測定することを特徴とする請求項１に記載の送信装置。
【請求項３】
複数の前記アンテナ間の相関値を測定する相関値測定部と、
複数の前記アンテナを介して受信信号を受信する受信部と、を備え、
前記相関値測定部は、前記受信部により受信した複数の前記アンテナそれぞれの受信状態に基づいて前記相関値を測定することを特徴とする請求項１に記載の送信装置。
【請求項４】
前記送信部は、前記決定部で選択された前記アンテナに応じて送信信号の送信フォーマットを変更し、前記受信装置に通知することを特徴とする請求項１に記載の送信装置。
【請求項５】
前記相関値に基づき、複数の前記アンテナのうち前記パイロット信号を送信するアンテナを選択する決定部と、
複数のアンテナ間隔毎の前記アンテナ選択の情報をパターン化して記憶する記憶部と、を備え、
前記決定部は、アンテナ間隔の情報に基づき、前記記憶部に記憶されたパターンを読み出し、複数の前記アンテナのうちパイロット信号を送信するアンテナを選択することを特徴とする請求項１に記載の送信装置。
【請求項６】
アンテナ間隔が変更可能な複数のアンテナと、
複数の前記アンテナ間の相関値に基づき、複数の前記アンテナから選択されたアンテナを用いてパイロット信号を送信する送信部と、
前記相関値に基づき、複数の前記アンテナのうち前記パイロット信号を送信するアンテナを選択し、該アンテナ選択の情報を生成し、前記パイロット信号を送信するアンテナの情報に基づいて、前記パイロット信号を送信しないアンテナの補間計算に用いる情報を前記アンテナ選択の情報に含めて生成する決定部と、を有し、
前記送信部は、前記決定部により生成された前記アンテナ選択の情報を受信装置に送信する送信装置と、
前記アンテナを介して、送信装置からの受信信号を受信する受信部と、
前記受信信号に含まれるパイロット信号を送信するアンテナ選択の情報に基づき、前記送信装置の複数のアンテナのうち前記パイロット信号を送信しないアンテナに関する情報を補間する補間部と、
前記補間部により補間されたアンテナに関する情報を用いて、前記送信装置から送信されるユーザチャネルのユーザデータを復調する復調部と、を有し、
前記補間部は、前記送信装置から前記パイロット信号を送信しないアンテナの補間計算に用いる情報を受けたときには、当該情報を用いて該当するアンテナの補間を行う受信装置と、
を備えたことを特徴とする無線通信システム。
【請求項７】
送信装置と受信装置との間での無線通信方法において、
前記送信装置では、
アンテナ間隔が変更可能な複数のアンテナ間の相関値に基づき、複数の前記アンテナから選択されたアンテナを用いてパイロット信号を送信する送信工程と、
前記相関値に基づき、複数の前記アンテナのうち前記パイロット信号を送信するアンテナを選択し、該アンテナ選択の情報を生成し、前記パイロット信号を送信するアンテナの情報に基づいて、前記パイロット信号を送信しないアンテナの補間計算に用いる情報を前記アンテナ選択の情報に含めて生成する決定工程と、を含み、
前記送信工程は、前記決定工程により生成された前記アンテナ選択の情報を受信装置に送信し、
前記受信装置では、
前記送信装置からの受信信号をアンテナを介して受信する受信工程と、
前記受信信号に含まれるパイロット信号を送信するアンテナ選択の情報に基づき、前記送信装置の複数のアンテナのうち前記パイロット信号を送信しないアンテナに関する情報を補間する補間工程と、
前記補間工程により補間されたアンテナに関する情報を用いて、前記送信装置から送信されるユーザチャネルのユーザデータを復調する復調工程と、を含み、
前記補間工程は、前記送信装置から前記パイロット信号を送信しないアンテナの補間計算に用いる情報を受けたときには、当該情報を用いて該当するアンテナの補間を行うことを特徴とする無線通信方法。
【発明の詳細な説明】
【技術分野】
【０００１】
この発明は、無線通信を行う無線機器、例えば、多数のアンテナを備えた無線機器のパイロット信号を送受信する送信装置、無線通信システムおよび無線通信方法に関する。
【背景技術】
【０００２】
送信側と受信側を同期させる同期通信システムでは、送信側から送信アンテナ毎にパイロット信号（ＲＳ：Ｒｅｆｅｒｅｎｃｅ  Ｓｉｇｎａｌ）を送信し、受信側ではＲＳに基づいて伝搬路推定の処理を行っている。近年の無線通信では、ＭＩＭＯ（Ｍｕｌｔｉｐｌｅ  Ｉｎｐｕｔ  Ｍｕｌｔｉｐｌｅ  Ｏｕｔｐｕｔ）など、複数のアンテナを用いる方式が提案されている。この方式では、各送信アンテナ毎の伝播チャネルを得るために、各アンテナ毎にＲＳを送信する。この場合、あるアンテナでＲＳを送信している瞬間は、他のアンテナでは何も送信することができず、送信アンテナの数が増えるにしたがい、データ以外のＲＳを送信するためのオーバヘッドが増大し伝送効率が低下する。
【０００３】
そこで、ＲＳの送信量を減らすために、複数のうち一部のアンテナからだけＲＳを送信する方法が考えられている。例えば、送信側のアンテナの間隔が非常に近い場合は、伝搬路の相関が大きいため、送信側では一部のアンテナからＲＳを送信し、受信側ではＲＳを送信した以外のアンテナの伝搬路を補間処理で推定することにより、データの送信効率を上げる方式が知られている（例えば、下記特許文献１参照。）。
【先行技術文献】
【特許文献】
【０００４】
【特許文献１】特開２００７−０８９１１３号公報
【特許文献２】特開２００９−１８８５３５号公報
【発明の概要】
【発明が解決しようとする課題】
【０００５】
送信側が小型の携帯端末の場合であることを考えると、アンテナ設置場所に限度があり、アンテナの間隔が狭くなりやすいため、上記のようにＲＳを間引きする方法も有効であると考えられる。しかし、携帯端末の場合は、端末の形状の変化によりアンテナの間隔が変化するものがある。例えば、折り畳み形状やスライド形状の携帯端末では、閉じたときと開いたときとではアンテナ間の距離が異なり、アンテナの相関が変化する。具体的には、携帯端末を開いたときには、アンテナ間隔が広がり相関が小さくなり、閉じたときにはアンテナ間隔が接近し相関が大きくなる。このため、形状が変化する携帯端末の場合、送信側でＲＳ送信数を固定にすると最適なＲＳ送信数ではなくなる。このような携帯端末としては、携帯電話機、ＰＤＡ、可搬型パーソナルコンピュータ等が挙げられる。
【０００６】
このように、従来は、送信側では、携帯端末のアンテナの相関が変化しても対応した最適なＲＳ送信数で送信できず、不要なアンテナからのＲＳの送信があってもこれを抑制できず、不要なＲＳの送信のために送信電力を低減化できず、他の受信側（基地局）や他の携帯端末への干渉も生じるおそれがあった。特に、送信側が携帯端末のときには、形状変化でアンテナの相関が変化するが、これに対応できず、最適なＲＳ送信数を用いた主要なデータの送受信が行えなかった。受信側でも、最適なＲＳ送信数が不明であると、正確なアンテナ補間が行えず、伝送効率および品質を向上できない。
【０００７】
開示の技術は、送信側でのパイロット信号を送信するアンテナ数の変化に受信側が対応でき、伝送効率及び品質を向上できることを目的とする。
【課題を解決するための手段】
【０００８】
上述した課題を解決し、目的を達成するため、開示技術は、アンテナ間隔が変更可能な複数のアンテナと、複数の前記アンテナ間の相関値に基づき、複数の前記アンテナから選択されたアンテナを用いてパイロット信号を送信する送信部と、前記相関値に基づき、複数の前記アンテナのうち前記パイロット信号を送信するアンテナを選択し、該アンテナ選択の情報を生成し、前記パイロット信号を送信するアンテナの情報に基づいて、前記パイロット信号を送信しないアンテナの補間計算に用いる情報を前記アンテナ選択の情報に含めて生成する決定部と、を備え、前記送信部は、前記決定部により生成された前記アンテナ選択の情報を受信装置に送信することを要件とする。
【発明の効果】
【０００９】
開示の送信装置、無線通信システムおよび無線通信方法によれば、送信側でのパイロット信号を送信するアンテナ数の変化に受信側が対応でき、伝送効率及び品質を向上できるという効果を奏する。
【図面の簡単な説明】
【００１０】
【図１】実施の形態１にかかる通信システムの構成を示すブロック図である。
【図２】実施の形態にかかる携帯端末の構成例を示す外観図である。
【図３】送信側の携帯端末が行うＲＳ送信処理を示すフローチャートである。
【図４】受信側の基地局装置が行うＲＳ受信処理を示すフローチャートである。
【図５】実施の形態２にかかる携帯端末の構成を示すブロック図である。
【図６】送信側の携帯端末が行うＲＳ送信処理を示すフローチャートである。
【図７】実施の形態３による送信側の携帯端末が行うＲＳ送信処理を示すフローチャートである。
【図８】実施の形態３による受信側の基地局装置が行うＲＳ受信処理を示すフローチャートである。
【図９】実施の形態４による受信側の基地局装置の構成を示すブロック図である。
【図１０】基地局装置が行うＲＳ送信数決定の処理を示すフローチャートである。
【図１１】携帯端末が行うＲＳ送信の処理を示すフローチャートである。
【図１２−１】携帯端末を開いた状態を示す外観図である。
【図１２−２】携帯端末を閉じた状態を示す外観図である。
【図１３】ＲＳ送信数別の組み合わせパターンの例を示す図表である。
【図１４】携帯端末におけるＲＳ組み合わせ情報を用いたＲＳ送信処理を示すフローチャートである。
【図１５】基地局装置におけるＲＳ組み合わせ情報を用いたＲＳ受信処理を示すフローチャートである。
【図１６−１】ＲＳ補間を説明するための携帯端末の開閉状態を示す外観図である（その１）。
【図１６−２】ＲＳ補間を説明するための携帯端末の開閉状態を示す外観図である（その２）。
【図１６−３】ＲＳ補間を説明するための携帯端末の開閉状態を示す外観図である（その３）。
【図１７】携帯端末におけるＲＳ補間の情報送信を含むＲＳ送信処理を示すフローチャートである。
【図１８】基地局装置におけるＲＳ補間の情報受信を含むＲＳ受信処理を示すフローチャートである。
【発明を実施するための形態】
【００１１】
以下に添付図面を参照して、開示技術の好適な実施の形態を詳細に説明する。開示技術は、例えば、形状が変化する携帯端末に適用し、端末の形状の変化に応じてアレイアンテナのうち使用するアレイを切り替えることにより、変化後の形状に応じて適切なアレイからＲＳを送信するものである。以下の各実施の形態では、送信側が携帯端末１０１であり、受信側が基地局装置１１０であるとし、この送信側の携帯端末１０１におけるアンテナ間隔の変更に伴い、ＲＳを送信するアレイの数（ＲＳ送信数）を選択および変更するものとして説明する。
【００１２】
（実施の形態１）
図１は、実施の形態１にかかる通信システムの構成を示すブロック図である。この通信システム１００は、携帯端末１０１および基地局装置１１０を備えている。携帯端末１０１は、アレイアンテナ１０２と、このアレイアンテナ１０２を介してデータを送信する送信部１０３とを備える。アレイアンテナ１０２は、複数ｎのアレイ１０２ａ〜１０２ｎを有している。送信部１０３は変調部１０４を有し、変調部１０４の変調方式でユーザデータおよび制御データを送信する。また、複数のアレイアンテナ１０２は、パイロット信号ＲＳと、ＲＳ情報を制御データに含ませ、制御チャネルを使用して選択したＲＳ送信用のアレイから送信する。
【００１３】
ＲＳ送信用アンテナとして選択する特定のアレイは、アンテナ間隔に基づき決定される。このアンテナ間隔はアンテナ間隔検出部１０５により検出される。相関値測定部１０６は、検出されたアンテナ間隔に対応する相関値を測定する。ＲＳ送信数決定部１０７は、測定された相関値に対応する送信のＲＳ送信数を決定する。ＲＳ送信数決定部１０７は、決定したＲＳ送信数に基づきアレイアンテナ１０２の中からＲＳ送信数に基づき特定のアレイを選択し、選択したアレイをＲＳ送信用のアレイとする。
【００１４】
この際、アレイアンテナ１０２のアレイのうち少なくとも近接（あるいは隣接）するアレイは選択せず、所定のアレイ数毎に間引きして選択する。そして、ＲＳ送信数決定部１０７は、制御データの一部にＲＳと、ＲＳ情報を含ませる。なお、不図示であるが送信部１０３には携帯端末１０１のユーザ操作によるユーザデータが入力され、変調部１０４の変調によりユーザチャネルを介してアレイアンテナ１０２から基地局装置１１０にデータ送信される。
【００１５】
基地局装置１１０は、アンテナ１１２を備えており、受信部１１３は制御データおよびユーザデータを受信する。ＲＳ情報抽出部１１４は、制御データに含まれるＲＳ情報からＲＳ送信数を抽出する。ＲＳ補間部１１５は、携帯端末１０１においてＲＳを送信しないアレイについてＲＳの補間処理を行う。このため、ＲＳ補間部１１５には、送信側の携帯端末１０１についてのアレイアンテナ１０２の情報があらかじめ設定されている。具体的には、携帯端末１０１が有するアレイアンテナ１０２のアレイ数と、ＲＳ送信数に対応したアレイの情報が設定されている。データ復調部１１６は、ＲＳと、補間されたＲＳで求めたチャネル推定値を用いて、ユーザデータを復調、復号する。なお、基地局装置１１０のアンテナ１１２は、複数ｎのアレイ１１２ａ〜１１２ｎを有するアレイアンテナであってもよい。
【００１６】
図１に示した携帯端末１０１の相関値測定部１０６，ＲＳ送信数決定部１０７等が行う演算処理は、携帯端末１０１に設けられた通信処理用の処理プロセッサ（ＣＰＵ）などが行う通信処理の機能に加えて、相関値測定およびＲＳ数決定にかかる所定のプログラムを実行することにより実現できる。同様に、基地局装置１１０のＲＳ情報抽出部１１４，ＲＳ補間部１１５，データ復調部１１６等についても同様に通信処理用の処理プロセッサを用いて構成できる。
【００１７】
図２は、実施の形態にかかる携帯端末の構成例を示す外観図である。図２に示す携帯端末１０１は、本体２０１と、蓋体２０２を備えており、アレイ数（ｎ）が４本のアレイアンテナ１０２のうち、２本のアレイ１０２ａ，１０２ｂが本体２０１に設けられ、もう２本のアレイ１０２ｃ、１０２ｄが蓋体２０２に設けられている。本体２０１に対し蓋体２０２はヒンジ２０３で接続され、蓋体２０２が折り畳み自在である。図示のように、蓋体２０２を開いた状態では、本体２０１のアレイ１０２ａ、１０２ｂに対して、蓋体２０２のアレイ１０２ｃ，１０２ｄが離れ、アンテナ間隔が広くなる。逆に蓋体２０２を閉じた状態では、本体２０１のアレイ１０２ａ、１０２ｂに対して、蓋体２０２のアレイ１０２ｃ，１０２ｄが接近し、アンテナ間隔が狭くなる。これら開いた状態と閉じた状態の間においてアンテナ間隔は連続的に変更されることになる。
【００１８】
アンテナ間隔検出部１０５は、図示の例では、ヒンジ２０３の回動角度を検出し、アンテナの間隔に換算して出力する。携帯端末１０１の形状は、ヒンジ２０３の回動角度により決まるので、近くに電波を散乱するものがなければ、アレイ間の相関値はヒンジ２０３の回動角度により決まる。このように、ヒンジ２０３の回動角度を利用する場合、あらかじめ回動角度に対応した相関値を測定等により携帯端末１０１に記憶しておくことにより、実際の回動角度を用いて相関値を得ることができ、相関値を求める演算処理を行わずに済み携帯端末１０１の演算プロセッサ等に処理負担を掛けることがない。
【００１９】
例えば、図２の構成例の場合、蓋体２０２を閉じた状態では、本体２０１のアレイ１０２ａに蓋体２０２のアレイ１０２ｃが近接し、本体２０１のアレイ１０２ｂに蓋体２０２のアレイ１０２ｄが近接する。この状態では、近接するアレイ１０２ａ，１０２ｃの一方、およびアレイ１０２ｂ、１０２ｄの一方からだけＲＳを送信する。蓋体２０２を閉じた状態のとき、本体２０１のアレイ１０２ａ，１０２ｂからＲＳを送信し、ＲＳ送信数が「２」となる。基地局装置１１０のＲＳ補間部１１５には、ＲＳ送信数に対応したアレイアンテナ１０２の情報が格納されており、ＲＳ送信数が「２」のときアレイ１０２ａ，１０２ｂからＲＳが送信されていることを得る。
【００２０】
図３は、送信側の携帯端末が行うＲＳ送信処理を示すフローチャートである。携帯端末１０１は、少なくともユーザデータの送信時に以下の処理を実行する。アンテナ間隔検出部１０５はアンテナ間隔を検出する（ステップＳ３０１）。相関値測定部１０６は、検出されたアンテナ間隔に基づき、アンテナの相関値を測定する（ステップＳ３０２）。ＲＳ送信数決定部１０７は、得られた相関値に応じてＲＳ送信数を決定する（ステップＳ３０３）。この際、ＲＳ送信数に応じて送信するアレイアンテナ１０２のうち、ＲＳを送信するアレイが決定される。ＲＳ送信数決定部１０７は、ＲＳ送信数をＲＳ情報として生成する（ステップＳ３０４）。
【００２１】
送信部１０３は、ＲＳ情報を選択したアレイから制御データに含ませて送信する（ステップＳ３０５）。この後、送信部１０３は、アレイアンテナ１０２の全てのアレイを用いてユーザデータを送信する（ステップＳ３０６）。
【００２２】
図４は、受信側の基地局装置が行うＲＳ受信処理を示すフローチャートである。基地局装置１１０では、受信部１１３が制御チャネルを介して制御データを受信する（ステップＳ４０１）。この受信時、送信側の携帯端末１０１が送信したＲＳ数でＲＳを受信することになる。そしてＲＳ情報抽出部１１４は、この制御データに含まれるＲＳ情報を抽出する（ステップＳ４０２）。この際、送信側の携帯端末１０１のＲＳ送信数を抽出する。次に、ＲＳ補間部１１５は、抽出したＲＳ送信数からＲＳが送信されないアレイについてのＲＳの補間処理を行う（ステップＳ４０３）。この後、データ復調部１１６は、ＲＳと、補間されたＲＳで求めたチャネル推定値を求める。このチャネル推定値に基づいて、送信側の携帯端末１０１からユーザチャネルを介して送信されてくるユーザデータを復調（および復号）する（ステップＳ４０４）。
【００２３】
上記のＲＳ補間処理について説明する。ＲＳ補間部１１５は、ステップＳ４０３において、制御データに基づき送信側の携帯端末１０１を特定する。そして、ＲＳ情報から携帯端末１０１が有するアレイアンテナ１０２のアレイ数を得る。この後、ＲＳ送信数に基づきＲＳを送信していないアレイを求め、このアレイについてＲＳの補間処理を行う。例えば、図２に示した送信側の携帯端末１０１の蓋体２０２が閉じられたとき、ＲＳ送信数を「２」としたとき、アレイアンテナ１０２のアレイ４本のうち隣接しないアレイ１０２ａ，１０２ｃからＲＳを送信するとする。基地局装置１１０では、ＲＳ情報抽出部１１４が携帯端末１０１のアレイアンテナ１０２のアレイ数の設定「４」を読み出し、また受信したＲＳ送信数が「２」であることから、ＲＳがアレイ１０２ａ，１０２ｃから送信されていると判断し、補間対象となるアレイが１０２ｂ、１０２ｄであると判断する。
【００２４】
補間処理については、例えば、補間対象となるアレイ１０２ｂについては、ＲＳを受信した近接したアレイ１０２ａが受信したＲＳに基づき補間する。また、アレイ１０２ｄについては、ＲＳを受信した近接したアレイ１０２ｃが受信したＲＳに基づき補間する。図２の構成の場合、携帯端末１０１の蓋体２０２が閉じられたとき、アレイ１０２ａとアレイ１０２ｃが密接し、アレイ１０２ｂとアレイ１０２ｄが密接するものであり、このような構成であれば、補間対象のアレイ１０２ｃ，１０２ｄについては、アレイ１０２ａ，１０２ｂと同じＲＳを用いてもよい。
【００２５】
上記説明したＲＳ情報としては、送信側の携帯端末１０１は、ＲＳ情報に、ＲＳを送信しているアレイの情報、もしくはＲＳを送信していないアレイの情報を付加してもよい。受信側の基地局装置１１０ではＲＳを送信している（あるいはＲＳを送信していない）アレイの情報からＲＳを送信していない補間対象のアレイを容易に特定できる。そして、ＲＳを送信した近接する（隣接する）アレイのＲＳを用いてＲＳチャネルを推定することができる。これに限らず、ＲＳを受信したアレイのＲＳの平均値や、線型補間した値などを用いて補間することもできる。
【００２６】
上記構成によれば、送信側の携帯端末１０１がアレイアンテナ１０２の数よりも少ないＲＳ送信数でＲＳを間引いて送信し、受信側の基地局装置１１０でアレイアンテナ１０２の全てのアレイについて補間処理した後のユーザデータを受信する。これにより、変化する携帯端末１０１のアレイアンテナ１０２の相関に対応した最適なＲＳ送信数を用いて主要なユーザデータの送受信が行え、不要なＲＳを送信しないことにより、携帯端末１０１の送信電力を低減できるようになる。また、他の基地局装置や他の携帯端末への干渉を低減できるようになる。
【００２７】
（実施の形態２）
図５は、実施の形態２にかかる携帯端末の構成を示すブロック図である。図示のように、実施の形態２では、実施の形態２は、送信側である携帯端末１０１が行う相関値測定を、アレイアンテナの受信信号から直接的に求める構成であり、図１に記載のアンテナ間隔検出部１０５を用いない。携帯端末１０１のアレイアンテナ１０２のアレイ数が「２」の場合を例に説明する。アンテナ間隔が変化するアレイ１０２ａ，１０２ｃがこれに該当する。便宜上、各ブロック構成部は、携帯端末１０１の外部に記載してあるが、これらは携帯端末１０１の内部に設けられている。
【００２８】
アレイアンテナ１０２のアレイ数だけ設けられるデュプリケータ（ＤＵＰ）５０１には、受信部５０２と送信部１０３が接続され、上記のデータを送受信する。受信部５０２は、アレイ１０２ａ，１０２ｃを介して受信信号ｘ，ｙを受信する。相関値測定部１０６は、この受信信号ｘ，ｙに基づき相関値を求める。
【００２９】
例えば、相関値ｚ＝〈ｘ×ｙ〉／√（｜ｘ｜｜ｘ｜｜ｙ｜｜ｙ｜）の算式を用いて求める。すなわち、基地局装置１１０からの電波をアレイ１０２ａ，１０２ｃでそれぞれ受信した受信信号ｘ，ｙの受信レベル（受信電力）を掛けて、適当なサンプル数を用いて受信電力の平均値＜ｘｙ＞を求める。一方、受信信号ｘ，ｙそれぞれの電力の積のルート√（｜ｘ｜｜ｘ｜｜ｙ｜｜ｙ｜）についても平均値を求める。これを、＜ｘｙ＞  で割り、相関値ｚを求める。ＲＳ送信数決定部１０７では、相関値ｚに基づき所要の所定のＳＮ比を満足しているか否かを判断し、ＲＳ送信数を決定する。
【００３０】
図６は、送信側の携帯端末が行うＲＳ送信処理を示すフローチャートである。受信部５０２ではアレイアンテナ１０２のアレイ１０２ａ，１０２ｃの受信レベルを測定する（ステップＳ６０１）。次に、相関値測定部１０６は、受信レベルを上記所定の相関値の算式等を用いてアレイ間の相関値ｚを求める（ステップＳ６０２）。そして、ＲＳ送信数決定部１０７では、相関値ｚに基づき所要の所定のＳＮ比を満足しているか否かを判断する（ステップＳ６０３）。満足していれば（ステップＳ６０３：Ｙｅｓ）、アレイアンテナ１０２のうち一部のアレイを使用するなど、ＲＳ送信数を選択する（ステップＳ６０４）。一方、満足していなければ（ステップＳ６０３：Ｎｏ）、アレイアンテナ１０２の全てのアレイを用いてＲＳを送信する（ステップＳ６０５）。
【００３１】
このように、携帯端末１０１で基地局装置１１０からの受信レベルを用いてＲＳ送信数を決定する。この際、携帯端末１０１のアレイアンテナ１０２の状態が変更になったときにおける、基地局装置１１０からの送信電波を用いた携帯端末１０１との間の伝搬路の状況変化を含みＲＳ送信数を決定している。したがって、逆に、携帯端末１０１からの送信についても伝搬路の状況は同様であると仮定して、携帯端末１０１におけるＲＳ送信数の決定を行っている。ＲＳ送信数の決定は、例えば、相関値ｚ2＝γ／（１＋γ）の算式を用いて行う（γ：所定のＳＮ比）。
【００３２】
以降、ＲＳ情報の生成（ステップＳ３０４）、ＲＳ情報の送信（ステップＳ３０５）、ユーザデータの送信（ステップＳ３０６）は、上記実施の形態１（図３）と同様に行う。
【００３３】
なお、図２に示したように、アレイアンテナ１０２がアレイ数２の場合、ステップＳ６０４では、ＲＳ送信数を「１」とし、ステップＳ６０５ではＲＳ送信数が「２」となり、ＲＳの送信数は、所定のＳＮ比を基準として切り替えることになる。これに限らず、アレイアンテナ１０２のアレイが３以上の場合には、全ての組み合わせで相関値を求め、相関値が最大になる組み合わせについて上記の処理を行う。そして、残ったアレイに対して相関値が最大になる組み合わせについて再度上記の処理を行い、残ったアレイの相関値が所定の閾値以下になるまで繰り返すことにより、ＲＳを送信するアレイ数を決定することができる。
【００３４】
このように実施の形態２は、携帯端末１０１のアレイアンテナ１０２の状態が変更になった状態において携帯端末１０１で受信した受信信号の受信レベルを用いて相関値を求め、送信時におけるＲＳ送信数決定に用いている。これにより、アンテナ間隔を検出する特別な手段を用いずとも実際の携帯端末１０１の状態と、このときの伝搬路の状況に対応したＲＳ数でＲＳを送信することができる。
【００３５】
（実施の形態３）
実施の形態で３は、ＲＳ送信数の変化に対応して送信フォーマットを変更する構成例である。上述した実施の形態１，２では、ＲＳ送信数を変化させ、ＲＳを送信するアレイを間引く構成であるが、この実施の形態３では、ＲＳを送信しないアレイは、ＲＳを送信しない期間、ＲＳの代わりにユーザデータの送信フォーマットを制御データとして送信する。送信側の携帯端末１０１は、送信部１０３がこの送信フォーマットを送信し、受信側の基地局装置１１０は、携帯端末１０１から送信された送信フォーマットを受信部１１３で受信して対応する受信フォーマットに切り替えてユーザデータを受信する。
【００３６】
図７は、実施の形態３による送信側の携帯端末が行うＲＳ送信処理を示すフローチャートである。ステップＳ３０２における相関値の測定については、例えば実施の形態１で説明したアンテナ間隔の検出、あるいは実施の形態２で説明したアレイアンテナの受信レベルの測定を用いることができる。そして、得られた相関値により、ＲＳ送信数決定部１０７は、ＲＳ送信数を決定する（ステップＳ３０３）。
【００３７】
そして、決定されたＲＳ送信数を含みＲＳ送信数をＲＳ情報として生成する（ステップＳ３０４）。これと並行して、送信部１０３では、ＲＳ送信数に対応した送信フォーマットを選択する。この送信フォーマットとは、各無線フレームにおけるユーザデータおよびＲＳの時間的位置、送信アンテナ（アレイ）、データの変調方式、誤り訂正符号の符号化率、などの情報である。
【００３８】
そして、送信部１０３は、ＲＳを送信する該当のアレイからＲＳ情報を制御データに含ませて送信する（ステップＳ３０５）。この際、並行して送信部１０３は、ＲＳを送信していないアレイを用いて選択した送信フォーマットの情報を送信する（ステップＳ７０１）。この後、送信部１０３は、選択された送信フォーマットで全てのアレイを用いてユーザデータを送信する（ステップＳ３０６）。一例として、ＲＳ送信数が変更されたとき、送信部１０３に設けられた変調部１０４の変調方式を変更する。ＲＳ送信数が少なくなったときには、より対雑音特性が良好な（ＳＮ比に優れた）変調方式を用いるなどがある。
【００３９】
図８は、実施の形態３による受信側の基地局装置が行うＲＳ受信処理を示すフローチャートである。受信部１１３は、送信側の携帯端末１０１から送信されたＲＳ情報を受信するとともに（ステップＳ４０１）、送信フォーマットを受信する（ステップＳ８０２）。受信部１１３の構成により、図示のようにステップＳ４０１の受信処理後、ステップＳ８０２を受信処理してもよい。次に、ＲＳ補間部１１５は、受信したＲＳ送信数からＲＳが送信されないアレイについてのＲＳの補間処理を行う（ステップＳ４０３）。この後、データ復調部１１６は、ＲＳと、補間されたＲＳで求めたチャネル推定値を求める。このチャネル推定値に基づいて、送信側の携帯端末１０１からユーザチャネルを介して送信されてくるユーザデータを復調（および復号）する（ステップＳ４０４）。この際、受信部１１３およびデータ復調部１１６は、ステップＳ８０２で受信した送信フォーマットに対応した受信フォーマットに切り替えてユーザデータを受信する。受信部１１３における受信フォーマットの切り替えに限らず、データ復調部１１６におけるデータ復調時の符号化方式なども切り替え可能である。
【００４０】
この実施の形態３によれば、送信側の携帯端末１０１は、ＲＳを送信しないアレイを用いて送信フォーマットを送信する構成であるため、データの送信効率を向上させることができる。
【００４１】
（実施の形態４）
図９は、実施の形態４による受信側の基地局装置の構成を示すブロック図である。上記各実施の形態では、送信側の携帯端末１０１でアンテナ間の相関値を求めてＲＳを送信するアレイを決定していたが、実施の形態４では、この処理を基地局装置１１０で行う構成であり、図示のように、図５に記載した相関値測定部１０６と、ＲＳ送信数決定部１０７の構成が基地局装置１１０に設けられている。この図９には、主に基地局装置１１０におけるＲＳ送信数決定にかかる構成を記載してある。
【００４２】
他方、携帯端末１０１側の構成については、図面を省略するが、図５に記載の構成から相関値測定部１０６と、ＲＳ送信数決定部１０７が省かれた構成となる。
【００４３】
デュプリケータ（ＤＵＰ）５０１には、受信部１１３と送信部９０１が接続され、携帯端末１０１との間でデータを送受信する。ここで、携帯端末１０１は、上記同様に２つのアレイ１０２ａ，１０２ｃからＲＳを送信したものとし、基地局装置１１０の受信部１１３は、アンテナ１１２を介して端末からのＲＳの受信信号ｘ，ｙを受信する。相関値測定部１０６は、この受信信号ｘ，ｙに基づき相関値を求める。
【００４４】
例えば、相関値ｚ＝〈ｘ×ｙ〉／√（｜ｘ｜｜ｘ｜｜ｙ｜｜ｙ｜）の算式を用いて求める。すなわち、送信側である携帯端末１０１のアレイ１０２ａ，１０２ｃが送信したＲＳを基地局装置１１０でそれぞれ受信した際の受信信号ｘ，ｙの受信レベル（受信電力）を掛けて、適当なサンプル数を用いて受信電力の平均値＜ｘｙ＞を求める。一方、受信信号ｘ，ｙそれぞれの電力の積のルート√（｜ｘ｜｜ｘ｜｜ｙ｜｜ｙ｜）についても平均値を求める。これで、＜ｘｙ＞を割り、相関値ｚを求める。ＲＳ送信数決定部１０７では、相関値ｚに基づき所要の所定のＳＮ比を満足しているか否かを判断し、ＲＳ送信数を決定する。決定したＲＳ送信数は、送信部９０１を介して携帯端末１０１に送信する。
【００４５】
上記の相関値測定について、ＯＦＤＭ等のマルチキャリア通信の場合には、相関値測定部１０６は、ＲＳを受信できる各サブキャリア毎に相関行列を作成し、各サブキャリア毎の相関を求め、その平均誤差、あるいは最大誤差を基準値と比較するなどにより相関値を求める。また、ＣＤＭＡ等の場合は、上記サブキャリアの代わりにマルチパス毎に行うことができる。
【００４６】
図１０は、基地局装置が行うＲＳ送信数決定の処理を示すフローチャートである。受信部１１３では、携帯端末１０１のアレイアンテナ１０２のアレイ１０２ａ，１０２ｃの受信レベルを測定する（ステップＳ６０１）。次に、相関値測定部１０６は、受信レベルを上記所定の相関値の算式等を用いてアレイ間の相関値ｚを求める（ステップＳ６０２）。そして、ＲＳ送信数決定部１０７では、相関値ｚに基づき所要の所定のＳＮ比を満足しているか否かを判断する（ステップＳ６０３）。満足していれば（ステップＳ６０３：Ｙｅｓ）、携帯端末１０１のアレイアンテナ１０２のうち一部のアレイを使用するなど、ＲＳ送信数を選択する（ステップＳ６０４）。一方、満足していなければ（ステップＳ６０３：Ｎｏ）、ＲＳ送信数をアレイアンテナ１０２の全てのアレイとする（ステップＳ１００５）。そして、ＲＳ情報の生成の後（ステップＳ３０４）、ＲＳ情報を携帯端末１０１に送信する（ステップＳ３０５）。
【００４７】
このように、基地局装置１１０における携帯端末１０１からのＲＳの受信レベルを用いて携帯端末１０１におけるＲＳ送信数を決定する。この際、携帯端末１０１のアレイアンテナ１０２の状態が変更になったときにおける、携帯端末１０１からの送信電波を用いた基地局装置１１０との間の伝搬路の状況変化を含みＲＳ送信数を決定している。ＲＳ送信数の決定は、例えば、相関値ｚ2＝γ／（１＋γ）の算式を用いて行う（γ：所定のＳＮ比）。
【００４８】
なお、図２に示したように、携帯端末１０１のアレイアンテナ１０２がアレイ数２の場合、ステップＳ６０４では、ＲＳ送信数を「１」とし、ステップＳ６０５ではＲＳ送信数が「２」となり、ＲＳの送信数は、所定のＳＮ比を基準として切り替えることになる。これに限らず、アレイアンテナ１０２のアレイが３以上の場合には、全ての組み合わせで相関値を求め、相関値が最大になる組み合わせについて上記の処理を行う。そして、残ったアレイに対して相関値が最大になる組み合わせについて再度上記の処理を行い、残ったアレイの相関値が所定の閾値以下になるまで繰り返すことにより、ＲＳを送信するアレイ数を決定することができる。
【００４９】
図１１は、携帯端末が行うＲＳ送信の処理を示すフローチャートである。基地局装置１１０で決定されたＲＳ送信数を含むＲＳ情報は、携帯端末１０１の受信部５０２で受信され（ステップＳ１１０１）、送信部１０３は、ＲＳ送信数に対応した送信フォーマットを決定し（ステップＳ１１０２）、ＲＳ送信数に対応するアレイからＲＳを送信する（ステップＳ１１０３）。この後、送信部１０３は、選択された送信フォーマットで全てのアレイを用いてユーザデータを送信する（ステップＳ１１０４）。一例として、ＲＳ送信数が変更されたとき、送信部１０３に設けられた変調部１０４の変調方式を変更する。
【００５０】
この実施の形態４によれば、相関値測定およびＲＳ送信数の決定を基地局装置１１０側で行うため、携帯端末１０１側の処理負担を軽減できるようになる。
【００５１】
（実施の形態５）
実施の形態５は、携帯端末１０１におけるＲＳ送信数のパターン化について説明する。図１２−１は、携帯端末を開いた状態を示す外観図、図１２−２は、携帯端末を閉じた状態を示す外観図である。図２同様に、本体２０１と、蓋体２０２を備えており、アレイ数（ｎ）が４本のアレイアンテナ１０２を備える。そして、本体２０１に設けられた２本のアレイ１０２ａ，１０２ｂに対し、蓋体２０２に設けられた２本のアレイ１０２ｃ、１０２ｄの位置がずれて配置されており、蓋体２０２を閉じても全てのアレイ１０２ａ〜１０２ｄは重ならない構成となっている。
【００５２】
そして、携帯端末１０１の蓋体２０２を開いているときは、アンテナ間隔が十分に開いて４つのアレイ１０２ａ〜１０２ｄ全てからＲＳを送信する。一方、蓋体２０２が閉じているときには、これら４つのアレイ１０２ａ〜１０２ｄの中から選択された２本のアレイからＲＳを送信する構成例で説明する。
【００５３】
ＲＳを２本のアレイから送信する場合は、多数の組み合わせが考えられる。携帯端末１０１が基地局装置１１０に対して、ＲＳを送信するアレイの組み合わせを伝えるには、アレイ４本分、すなわち、ＲＳ情報に４ビットの情報を用いることになる。しかし、ＲＳ送信数を選択するための最適なＲＳの間引き方について、固定のパターンにすることにより、ＲＳを送信するアレイの組み合わせ（ビット数）を減らすことができる。
【００５４】
図１３は、ＲＳ送信数別の組み合わせパターンの例を示す図表である。ＲＳ送信数決定部１０７は、図示のＲＳ組み合わせ情報１３０１を記憶する記憶部を有する。図示の組み合わせ情報１３０１は、ＲＳ送信数が「１」の場合には、アレイ＃１（１０２ａ）だけでＲＳを送信することにする。また、ＲＳ送信数が「２」の場合には、アレイ＃１（１０２ａ），＃３（１０２ｂ）からＲＳを送信する。また、ＲＳ送信数が「３」の場合には、アレイ＃１（１０２ａ），＃２（１０２ｃ），＃３（１０２ｂ）からＲＳを送信する。ＲＳ送信数が「４」であれば、全てのアレイ＃１〜＃４（１０２ａ〜１０２ｄ）からＲＳを送信する。このＲＳ組み合わせ情報１３０１は、携帯端末１０１からの送信等により、基地局装置１１０側でもＲＳ情報抽出部１１４が不図示の記憶部に記憶する構成とする。
【００５５】
このように、ＲＳ送信数に応じたＲＳ組み合わせ情報を携帯端末１０１と、基地局装置１１０で共有することにより、ＲＳ情報のうち、ＲＳを送信するアレイを特定するための情報を減らすことができる。上記図１３に示すような、テーブル化されたＲＳ組み合わせ情報を用いた場合には、携帯端末１０１は、４通りのＲＳ送信数「１」〜「４」のうちいずれかを送信するだけでよく、２ビットだけでよい。基地局装置１１０側では、ＲＳ送信数が「１」〜「４」のうちいずれかを受信し、ＲＳ情報抽出部１１４は図１３に示したのと同じＲＳ組み合わせ情報に基づき、携帯端末１０１においてＲＳを送信したアレイ１０２ａ〜１０２ｄの組み合わせを特定できる。
【００５６】
図１４は、携帯端末におけるＲＳ組み合わせ情報を用いたＲＳ送信処理を示すフローチャートである。携帯端末１０１では、上記のＲＳ組み合わせ情報１３０１を作成し（ステップＳ１４０１）、作成したＲＳ組み合わせ情報１３０１を基地局装置１１０に送信する（ステップＳ１４０２）。ここまでが事前の設定であり、携帯端末１０１はアレイアンテナ１０２のアレイ１０２ａ〜１０２ｄの配置が変わらない限り１回送信しておけばよい。
【００５７】
以降の処理は、上記実施の形態とほぼ同じである。相関値測定部１０６は、相関値を測定し（ステップＳ３０２）、ＲＳ送信数決定部１０７は、ＲＳ送信数を決定し（ステップＳ３０３）、ＲＳ情報を生成する（ステップＳ３０４）。このＲＳ情報としては、上記のＲＳ組み合わせ情報１３０１のうちいずれであるかを示すＲＳ送信数「１」〜「４」のいずれかを２ビットで送信する（ステップＳ３０５）。この後、送信部１０３は、ＲＳ送信数に対応した送信フォーマットを決定し（ステップＳ１１０２）、ＲＳ送信数に対応するアレイからＲＳを送信する（ステップＳ１１０３）。この後、送信部１０３は、選択された送信フォーマットで全てのアレイを用いてユーザデータを送信する（ステップＳ１１０４）。
【００５８】
図１５は、基地局装置におけるＲＳ組み合わせ情報を用いたＲＳ受信処理を示すフローチャートである。基地局装置１１０では、携帯端末１０１から送信されたＲＳ組み合わせ情報１３０１を受信すると（ステップＳ１５０１）、このＲＳ組み合わせ情報１３０１をＲＳ情報抽出部１１４の記憶部に記憶する（ステップＳ１５０２）。
【００５９】
以降の処理は、上記実施の形態とほぼ同じである。受信部１１３は、送信側の携帯端末１０１から送信されたＲＳ情報を受信する（ステップＳ４０１）。このＲＳ情報は、上記の２ビットからなるＲＳ送信数「１」〜「４」のいずれかである。このＲＳ送信数の受信により、ＲＳ情報抽出部１１４は、記憶部に格納されたＲＳ組み合わせ情報１３０１を読み出し、ＲＳ送信数に対応する携帯端末１０１のアレイを特定できる。また、送信フォーマットを受信し（ステップＳ８０２）、ＲＳ補間部１１５は、受信したＲＳ送信数により特定されたＲＳが送信されないアレイについてのＲＳの補間処理を行う（ステップＳ４０３）。この後、データ復調部１１６は、ＲＳと、補間されたＲＳで求めたチャネル推定値を求める。このチャネル推定値に基づいて、送信側の携帯端末１０１からユーザチャネルを介して送信されてくるユーザデータを復調、復号する（ステップＳ４０４）。この際、受信部１１３およびデータ復調部１１６は、ステップＳ８０２で受信した送信フォーマットに対応した受信フォーマットに切り替えてユーザデータを受信する。
【００６０】
この実施の形態５で説明したＲＳ組み合わせ情報１３０１を用いることにより、携帯端末１０１からＲＳを送信する毎にＲＳを送信しているアレイの情報を送信せずに済み、また、少ないビット数でＲＳを送信しているアレイを通知できるため、オーバヘッドの増大を防止できる。
【００６１】
上記実施の形態５では、ＲＳ組み合わせ情報１３０１を携帯端末１０１から基地局装置１００に送信する構成としたが、これに限らない。このＲＳ組み合わせ情報１３０１は、基地局装置１１０が自らに対する入力、あるいは、上位装置を介して基地局装置１１０に設定することもできる。この構成によれば、携帯端末１０１はＲＳ組み合わせ情報１３０１の作成、および基地局装置１１０への送信を省くことができる。さらに、基地局装置１１０から携帯端末１０１にＲＳ組み合わせ情報１３０１を送信し、携帯端末１１に記憶する構成とすることもできる。
【００６２】
（実施の形態６）
実施の形態６では、ＲＳ補間方法の一例を説明する。図１６−１〜図１６−３は、それぞれＲＳ補間を説明するための携帯端末の開閉状態を示す外観図である。図１６−１は、携帯端末１０１の蓋体２０２が大きく開いた状態、図１６−２は、少し開いた状態、図１６−３は、閉じた状態である。携帯端末１０１側では、ＲＳ送信数決定部１０７がアンテナ間隔の変化に対応してＲＳ補間に用いる算式と係数を求め、基地局装置１１０のＲＳ補間部１１５に送信する。
【００６３】
図１６−１に示すように、携帯端末１０１の蓋体２０２が大きく開いているときには、アレイアンテナ１０２の全てのアレイ＃１（１０２ａ）〜＃４（１０２ｄ）からＲＳを送信するため、ＲＳ補間を行わなくてもよい。図１６−２に示すように、蓋体２０２が少し開いているときは、アレイ＃４（１０２ｄ）からＲＳは送信しないとする。このとき、それぞれのアレイ＃１（１０２ａ）〜＃３（１０２ｂ）のＲＳの受信レベルがｈ１，ｈ２，ｈ３であったとする。アレイ＃１（１０２ａ）〜＃４（１０２ｄ）で見れば、これらは平行四辺形の四隅に配置されている形となる。このため、アレイ＃１（１０２ａ）〜＃４（１０２ｄ）で形成される平行四辺形の各対角線は、それぞれの中点で交わるため、アレイ＃１（１０２ａ）とアレイ＃４（１０２ｄ）の平均値と、アレイ＃２（１０２ｃ）とアレイ＃３（１０２ｂ）の平均値はどれも中点での値になるため、ｈ１＋ｈ４＝ｈ２＋ｈ３となる。したがって、補間対象であるアレイ＃４は、ｈ４＝−ｈ１＋ｈ２＋ｈ３という補間式を用いて補間できる。ＲＳ送信数決定部１０７は、これらの補間式と係数をＲＳ情報に含ませて送信する。
【００６４】
さらに、図１６−３に示すように、蓋体２０２が閉じているときは、４つのアレイ＃１（１０２ａ）〜＃４（１０２ｄ）が直線的に並ぶ。このようなときには、蓋体２０２側のアレイ＃２（１０２ｃ）と、アレイ＃４（１０２ｄ）からＲＳを送信しないとする。この場合、ＲＳ送信数決定部１０７では、補間対象のアレイ＃２（１０２ｃ）については、ｈ２＝０．５×ｈ１＋０．５×ｈ２（内分点）の補間式と係数を送信する。また、補間対象のアレイ４（１０２ｄ）については、ｈ４＝−０．５×ｈ１＋１．５×ｈ２（外分点）の補間式と係数を送信する。このように、ＲＳ補間部１１５は、ＲＳの送信数に応じて、補間式と係数を切り替えて送信する。また、この例では３種の変化状態としたが、一般的には回動角度は連続的に変化するため、回動角度の連続的な変化に対応して、上記係数（０．５、１．５、±など）を回動角度に応じて変化させて用いればよい。
【００６５】
図１７は、携帯端末におけるＲＳ補間の情報送信を含むＲＳ送信処理を示すフローチャートである。相関値測定部１０６は、アンテナの相関値を測定し（ステップＳ３０２）、ＲＳ送信数決定部１０７は、得られた相関値に応じてＲＳ送信数を決定する（ステップＳ３０３）。この際、ＲＳ送信数に応じて送信するアレイアンテナ１０２のうち、ＲＳを送信するアレイが決定される。また、上記の補間式と係数を決定する（ステップＳ１７０１）。この後、ＲＳ送信数決定部１０７は、この補間式と係数を含ませたＲＳ情報を生成する（ステップＳ３０４）。
【００６６】
送信部１０３は、ＲＳ情報を選択したアレイから制御データに含ませて送信する（ステップＳ３０５）。そして、ＲＳ送信数に対応した送信フォーマットを決定し（ステップＳ１１０２）、ＲＳ送信数に対応するアレイからＲＳを送信する（ステップＳ１１０３）。この後、送信部１０３は、選択された送信フォーマットで全てのアレイを用いてユーザデータを送信する（ステップＳ１１０４）。
【００６７】
図１８は、基地局装置におけるＲＳ補間の情報受信を含むＲＳ受信処理を示すフローチャートである。基地局装置１１０では、受信部１１３が制御チャネルを介して制御データを受信しＲＳ情報を抽出する（ステップＳ４０１）。また、送信フォーマットを受信する（ステップＳ８０２）。そしてＲＳ情報抽出部１１４は、この制御データに含まれるＲＳ情報から、送信側の携帯端末１０１における補間式と係数を抽出する（ステップＳ１８０１）。次に、ＲＳ補間部１１５は、この補間式と係数を用いてＲＳが送信されないアレイについてのＲＳの補間処理を行う（ステップＳ４０３）。この後、データ復調部１１６は、ＲＳと、補間されたＲＳで求めたチャネル推定値を求める。このチャネル推定値に基づいて、送信側の携帯端末１０１からユーザチャネルを介して送信されてくるユーザデータを復調（および復号）する（ステップＳ８０４）。この際、受信部１１３およびデータ復調部１１６は、ステップＳ８０２で受信した送信フォーマットに対応した受信フォーマットに切り替えてユーザデータを受信する。
【００６８】
上記実施の形態６によれば、携帯端末１０１では、ＲＳを送信するアレイの決定後に補間式の係数を基地局に送信し、基地局装置１１０では、ＲＳ補間処理よりも前の時点で、補間式と係数を受信する。この手順により、より正確なＲＳ補間が行え、無線伝送性能が向上する。この補間式と係数の送信については、はじめに１回は補間式と係数を基地局装置１１０に送信するが、その後は、携帯端末１０１の形状が変化し、アンテナ間隔が変更になったとき（相関値が変化したとき）に変更後の係数だけを送信する構成にしてもよい。
【００６９】
以上説明したように、開示技術によれば、送信装置のアンテナ間隔が変化しても、この変化に対応して最適なアレイが選択され、パイロット信号を送信できる。これにより、オーバヘッドを抑え、伝送効率を向上できる。また、受信装置側で送信装置のアンテナ間隔の変更に対応したアンテナ補間が行えるため、通信品質を向上できるようになる。
【００７０】
上述した各実施の形態に関し、さらに以下の付記を開示する。
【００７１】
（付記１）アンテナ間隔が変更可能な複数のアンテナと、
複数の前記アンテナ間の相関値に基づき、複数の前記アンテナから選択されたアンテナを用いてパイロット信号を送信する送信部と、
を備えたことを特徴とする送信装置。
【００７２】
（付記２）前記相関値に基づき、複数の前記アンテナのうち前記パイロット信号を送信するアンテナを選択し、該アンテナ選択の情報を生成する決定部を備え、
前記送信部は、前記アンテナ選択の情報を受信装置に送信するとともに、前記選択されたアンテナを用いて前記パイロット信号を送信する、
ことを特徴とする付記１に記載の送信装置。
【００７３】
（付記３）複数の前記アンテナ間の相関値を測定する相関値測定部と、
複数の前記アンテナの間隔を検出する検出部と、を備え、
前記相関値測定部は、前記検出部で検出されたアンテナの間隔に基づいて前記相関値を測定することを特徴とする付記１に記載の送信装置。
【００７４】
（付記４）複数の前記アンテナ間の相関値を測定する相関値測定部と、
複数の前記アンテナを介して受信信号を受信する受信部と、を備え、
前記相関値測定部は、前記受信部により受信した複数の前記アンテナそれぞれの受信状態に基づいて前記相関値を測定することを特徴とする付記１に記載の送信装置。
【００７５】
（付記５）前記送信部は、前記決定部で選択された前記アンテナに応じて送信信号の送信フォーマットを変更し、前記受信装置に通知することを特徴とする付記２に記載の送信装置。
【００７６】
（付記６）アンテナ間隔が変更可能な複数のアンテナと、
複数の前記アンテナを介して受信信号を受信する受信部と、
前記受信部を介して受信した受信信号の相関値に基づき、複数の前記アンテナから選択されたアンテナを用いてパイロット信号を送信する送信部と、
を備えたことを特徴とする送信装置。
【００７７】
（付記７）前記相関値に基づき、複数の前記アンテナのうち前記パイロット信号を送信するアンテナを選択する決定部と、
複数のアンテナ間隔毎の前記アンテナ選択の情報をパターン化して記憶する記憶部と、を備え、
前記決定部は、アンテナ間隔の情報に基づき、前記記憶部に記憶されたパターンを読み出し、複数の前記アンテナのうちパイロット信号を送信するアンテナを選択することを特徴とする付記１に記載の送信装置。
【００７８】
（付記８）前記決定部は、前記パイロット信号を送信するアンテナの情報に基づいて、前記パイロット信号を送信しないアンテナの補間計算に用いる情報をアンテナ選択の情報に含め、前記送信部を介して前記受信装置に送信することを特徴とする付記２又は７に記載の送信装置。
【００７９】
（付記９）複数のアンテナのアンテナ間隔が変更可能な送信装置からの無線電波を受信するアンテナと、
前記アンテナを介して、送信装置からの受信信号を受信する受信部と、
前記受信信号に含まれるパイロット信号を送信するアンテナ選択の情報に基づき、前記送信装置の複数のアンテナのうち前記パイロット信号を送信しないアンテナに関する情報を補間する補間部と、
前記補間部により補間されたアンテナに関する情報を用いて、前記送信装置から送信されるユーザチャネルのユーザデータを復調する復調部と、
を備えることを特徴とする受信装置。
【００８０】
（付記１０）前記受信部は、前記送信装置から通信フォーマットの切り替え時には、当該切り替えに対応した通信フォーマットを用いて前記受信信号を受信することを特徴とする付記９に記載の受信装置。
【００８１】
（付記１１）前記受信部は、前記送信装置が送信した複数の前記アンテナの前記パイロット信号の受信状態に基づいて前記送信装置の前記複数の前記アンテナ間の相関値を測定する相関値測定部を備え、
前記相関値測定部により測定された前記相関値を送信部を介して前記送信装置に通知することを特徴とする付記９に記載の受信装置。
【００８２】
（付記１２）前記送信装置が有する複数のアンテナ間隔毎の前記アンテナ選択の情報をパターン化して記憶する記憶部を備え、
前記補間部は、アンテナ間隔の情報に基づき、前記記憶部に記憶されたパターンを読み出し、複数の前記アンテナのうちパイロット信号を送信するアンテナを選択し、当該選択したアンテナに基づき他のアンテナに関する情報を補間することを特徴とする付記９に記載の受信装置。
【００８３】
（付記１３）前記補間部は、前記送信装置から前記パイロット信号を送信しないアンテナの補間計算に用いる情報を受けたときには、当該情報を用いて該当するアンテナの補間を行うことを特徴とする付記９〜１２のいずれか一つに記載の受信装置。
【００８４】
（付記１４）アンテナ間隔が変更可能な複数のアンテナと、
複数の前記アンテナ間の相関値を測定する相関値測定部と、
前記相関値に基づき、複数の前記アンテナのうちパイロット信号を送信するアンテナを選択し、当該アンテナ選択の情報を生成する決定部と、
前記アンテナ選択の情報を受信装置に送信するとともに、前記選択されたアンテナを用いて前記パイロット信号を送信する送信部と、を有する送信装置と、
前記送信装置からの無線電波を受信するアンテナと、
前記アンテナを介して、送信装置からの受信信号を受信する受信部と、
前記受信信号に含まれるパイロット信号を送信するアンテナ選択の情報に基づき、前記送信装置の複数のアンテナのうち前記パイロット信号を送信しないアンテナに関する情報を補間する補間部と、
前記補間部により補間されたアンテナに関する情報を用いて、前記送信装置から送信されるユーザチャネルのユーザデータを復調する復調部と、を有する受信装置と、
を備えたことを特徴とする無線通信システム。
【００８５】
（付記１５）送信装置と受信装置との間での無線通信方法において、
前記送信装置では、
アンテナ間隔が変更可能な複数のアンテナの前記アンテナ間の相関値を測定する相関値測定工程と、
前記相関値に基づき、複数の前記アンテナのうちパイロット信号を送信するアンテナを選択し、当該アンテナ選択の情報を生成する決定工程と、
前記アンテナ選択の情報を前記受信装置に送信するとともに、前記選択されたアンテナを用いて前記パイロット信号を送信する送信工程と、を含み、
前記受信装置では、
前記送信装置からの受信信号をアンテナを介して受信する受信工程と、
前記受信信号に含まれるパイロット信号を送信するアンテナ選択の情報に基づき、前記送信装置の複数のアンテナのうち前記パイロット信号を送信しないアンテナに関する情報を補間する補間工程と、
前記補間工程により補間されたアンテナに関する情報を用いて、前記送信装置から送信されるユーザチャネルのユーザデータを復調する復調工程と、
を含むことを特徴とする無線通信方法。
【符号の説明】
【００８６】
１００  通信システム
１０１  携帯端末
１０２  アレイアンテナ
１０２ａ〜１０２ｎ  アレイ
１０３  送信部
１０４  変調部
１０５  アンテナ間隔検出部
１０６  相関値測定部
１０７  ＲＳ送信数決定部
１１０  基地局装置
１１２  アンテナ
１１３  受信部
１１４  情報抽出部
１１５  ＲＳ補間部
１１６  データ復調部
２０１  本体
２０２  蓋体
２０３  ヒンジ
５０２  受信部
９０１  送信部
【図１】
0005494796.tif 000002
【図２】
0005494796.tif 000003
【図３】
0005494796.tif 000004
【図４】
0005494796.tif 000005
【図５】
0005494796.tif 000006
【図６】
0005494796.tif 000007
【図７】
0005494796.tif 000008
【図８】
0005494796.tif 000009
【図９】
0005494796.tif 000010
【図１０】
0005494796.tif 000011
【図１１】
0005494796.tif 000012
【図１２−１】
0005494796.tif 000013
【図１２−２】
0005494796.tif 000014
【図１３】
0005494796.tif 000015
【図１４】
0005494796.tif 000016
【図１５】
0005494796.tif 000017
【図１６−１】
0005494796.tif 000018
【図１６−２】
0005494796.tif 000019
【図１６−３】
0005494796.tif 000020
【図１７】
0005494796.tif 000021
【図１８】
0005494796.tif 000022